(57)【要約】【課題】画像データの編集操作時における追記内容の視認性を低下させることなく前記追記内容の印刷時におけるトナーの消費量を抑制することのできる画像処理装置を提供すること。【解決手段】画像処理装置１は、元画像データ（読取画像の画像データ）に基づいて元画像（前記読取画像）を表示する表示部２９と、表示部２９に表示される前記元画像に対する追加情報の追記操作を受け付ける操作部３０と、予め設定された設定濃度で表現される前記追加情報を含む第１追記データを生成して前記第１追記データを基づく前記追加情報を表示部２９に表示させる表示処理部９１と、前記元画像と前記設定濃度よりも低い濃度で表現される前記追加情報とを含む第２追記データを生成する生成処理部９２とを備える。【選択図】図２
2017030240.tif 000002
【特許請求の範囲】
【請求項１】
元画像データに基づいて元画像を表示する表示部と、
前記表示部に表示される前記元画像に対する追加情報の追記操作を受け付ける操作部と、
予め設定された設定濃度で表現される前記追加情報を含む第１追記データを生成して前記第１追記データを基づく前記追加情報を前記表示部に表示させる表示処理部と、
前記元画像と前記設定濃度よりも低い濃度で表現される前記追加情報とを含む第２追記データを生成する生成処理部と、
を備える画像処理装置。
【請求項２】
前記操作部は、タッチパネルを備え、
前記追記操作は、前記表示部に表示される前記元画像に対し前記タッチパネルを用いて描画する操作である請求項１に記載の画像処理装置。
【請求項３】
前記第１追記データ及び前記第２追記データのいずれか一方又は両方を記憶部に記憶させる記憶処理部を更に備える請求項１又は２に記載の画像処理装置。
【請求項４】
前記生成処理部は、前記第２追記データにおける前記追加情報の濃度の値を前記設定濃度に基づいて算出する請求項１〜３のいずれかに記載の画像処理装置。
【請求項５】
前記設定濃度を任意に設定する操作を受け付ける設定処理部を更に備え、
前記生成処理部は、前記設定濃度が予め設定された濃度以上である場合に前記第２追記データを生成する請求項１〜４のいずれかに記載の画像処理装置。
【請求項６】
前記画像処理装置が、画像データに基づいて画像形成を実行する画像形成装置と通信可能であって、
前記生成処理部により生成された前記第２追記データを前記画像形成装置に送信可能な出力処理部を更に備える請求項１〜５のいずれかに記載の画像処理装置。
【請求項７】
前記生成処理部により生成された前記第２追記データに基づいてシートに画像を形成する画像形成部を更に備える請求項１〜６のいずれかに記載の画像処理装置。
【発明の詳細な説明】
【技術分野】
【０００１】
本発明は、画像形成装置又はタブレット端末などの画像処理装置に関する。
【背景技術】
【０００２】
プリンター又は複写機のような画像形成装置では、トナー等の現像剤を用いて印刷処理が実行される。また、トナー消費量を抑制して印刷処理を実行するトナーセーブモードを備える画像形成装置が知られている（例えば特許文献１参照）。このトナーセーブモードを用いて印刷処理が実行される場合には、その印刷処理の対象となる画像データ全体についてトナー消費量が抑制されて印刷処理が実行されることになる。そのため、視認性が高いことが望ましい情報が一部分でも画像データに含まれる場合には、前記トナーセーブモードを使用することはできない。
【先行技術文献】
【特許文献】
【０００３】
【特許文献１】特開２０００−１３２００６号公報
【発明の概要】
【発明が解決しようとする課題】
【０００４】
一方、印刷対象の画像データに、視認性が高いことが望ましい情報と視認性が低くてもよい情報とが含まれることがある。しかしながら、この場合には、前記トナーセーブモードを使用することができないため、本来は視認性が低くてもよい情報の印刷処理で無駄にトナー量が増加することになる。
【０００５】
例えば、画像形成装置又はタブレット端末などの画像処理装置に搭載されているタッチパネルを用いて、画像データに文字又は図形などの情報を追記する編集作業が行われることがある。この場合、編集作業における追記内容は、編集作業前に画像データに含まれていた元画像に比べて視認性が低くてもよいことがある。ここで、タッチパネルにおける編集操作で追記する情報の配色としてトナー消費量が少なく視認性が低い色が意図的に用いられることも考えられるが、この場合には、タッチパネルに表示される際にも視認性が低くなる。
【０００６】
本発明の目的は、画像データの編集操作時における追記内容の視認性を低下させることなく前記追記内容の印刷時におけるトナーの消費量を抑制することのできる画像処理装置を提供することである。
【課題を解決するための手段】
【０００７】
本発明の一の局面に係る画像処理装置は、表示部と、操作部と、表示処理部と、生成処理部とを備える。前記表示部は、元画像データに基づいて元画像を表示する。前記操作部は、前記表示部に表示される前記元画像に対する追加情報の追記操作を受け付ける。前記表示処理部は、予め設定された設定濃度で表現される前記追加情報を含む第１追記データを生成して前記第１追記データを基づく前記追加情報を前記表示部に表示させる。前記生成処理部は、前記元画像と前記設定濃度よりも低い濃度で表現される前記追加情報とを含む第２追記データを生成する。
【発明の効果】
【０００８】
本発明によれば、画像データの編集操作時における追記内容の視認性を低下させることなく前記追記内容の印刷時におけるトナーの消費量を抑制することのできる画像処理装置を提供することができる。
【図面の簡単な説明】
【０００９】
【図１】図１は、本発明の第１の実施形態に係る画像処理装置の構成を示す図である。
【図２】図２は、本発明の第１の実施形態に係る画像処理装置の構成を示すブロック図である。
【図３】図３は、制御部によって実行される画像編集処理のフローチャートである。
【図４Ａ】図４Ａは、前記画像編集処理に用いられる原稿の図である。
【図４Ｂ】図４Ｂは、前記画像編集処理の過程で得られる読取画像の図である。
【図４Ｃ】図４Ｃは、前記画像編集処理により生成される第１追記データに基づいて表示部に表示される画像の図である。
【図４Ｄ】図４Ｄは、前記画像編集処理により生成される第２追記データに基づいて画像形成された印刷物の図である。
【図５Ａ】図５Ａは、第１の実施形態に係る画像処理装置で実行可能な第１編集処理に用いられる原稿の図である。
【図５Ｂ】図５Ｂは、第１編集処理に係る編集作業の説明図である。
【図５Ｃ】図５Ｃは、第１編集処理により生成される第１画像データに基づいて表示部に表示される画像の説明図である。
【図６Ａ】図６Ａは、第１の実施形態に係る画像処理装置で実行可能な第２編集処理に用いられる原稿の図である。
【図６Ｂ】図６Ｂは、第２編集処理に係る編集作業の説明図である。
【図６Ｃ】図６Ｃは、第２編集処理により生成される第１画像データに基づいて表示部に表示される画像の図である。
【図６Ｄ】図６Ｄは、第２編集処理により生成される第２画像データに基づいて画像形成された印刷物の図である。
【図７Ａ】図７Ａは、第１の実施形態に係る画像処理装置で実行可能な第３編集処理に係る編集作業の説明図である。
【図７Ｂ】図７Ｂは、第３編集処理により生成される第１画像データに基づいて表示部に表示される画像の図である。
【図８】図８は、本発明の第２の実施形態に係る画像処理装置の構成を示す図である。
【発明を実施するための形態】
【００１０】
以下、図面を参照して本発明の実施形態について説明する。なお、以下に説明される実施形態は本発明を具体化した一例にすぎず、本発明の技術的範囲を限定するものではない。
【００１１】
（第１の実施形態）
図１に示されるように、本発明の第１の実施形態に係る画像処理装置１は、プリンター、複写機、及びファクシミリなどの各機能を備えた複合機である。なお、本実施形態では、図１の上下方向（鉛直方向）５０１、左右方向５０２、及び前後方向５０３で示される上下左右及び前後の方向を用いて説明することがある。
【００１２】
図１及び図２に示されるように、画像処理装置１は、画像形成部２と、画像読取部３とを有する。また、図２に示されるように、画像処理装置１は、操作表示部２１と、記憶部２２と、制御部２５とを有する。
【００１３】
画像形成部２は、給紙部５と、感光体ドラム６と、帯電部７と、現像部８と、露光部９と、転写部１０と、クリーニング部１１と、定着部１２と、排紙部１３とを備え、シートに電子写真方式で画像を形成する。
【００１４】
画像読取部３は、原稿の画像を読み取る画像読取動作を実行する。画像読取部３は、筐体１４と、コンタクトガラス１５と、照明装置１６と、ミラー１７、１８と、光学レンズ１９と、撮像素子２０と、原稿カバー４とを備える。
【００１５】
画像読取部３は、コンタクトガラス１５上に載置された原稿の画像を読み取ることが可能である。画像読取部３は、原稿カバー４が閉じられた状態で、不図示の原稿サイズセンサーの出力信号等に基づいて設定される距離だけ照明装置１６を左右方向５０２へ移動させつつ順次１ライン分の光を照射する。そして、画像読取部３は、原稿又は原稿カバー４の裏面からの反射光をミラー１７，１８及び光学レンズ１９を介して撮像素子２０で受光し、撮像素子２０により受光した光量に応じた画像信号を順次制御部２５に出力する。
【００１６】
操作表示部２１は、表示部２９と操作部３０とを有する。表示部２９は、例えばカラー液晶ディスプレイなどを有し、操作表示部２１を操作するユーザーに対して各種の情報を表示する。操作部３０は、表示部２９に隣接配置された各種の押しボタンキー（不図示）及び表示部２９の表示画面上に配置されるタッチパネル３１を有する。なお、操作表示部２１は、ユーザーから画像読取動作などの各種の処理の実行指示の操作がなされると、その操作に対応する操作信号を制御部２５に出力する。
【００１７】
操作部３０は、タッチパネル３１を通じて表示部２９に表示される元画像に対する編集操作を受け付けることが可能である。なお、操作部３０は、例えばキーボード、マウス、又はペンタブレットなどを備えるものであってもよい。前記元画像とは、画像読取部３により読み取られた原稿画像、或いは、記憶部２２に格納されている画像である。記憶部２２に格納されている画像には、過去に行った編集操作によって編集された画像も含まれる。また、前記編集操作には、前記元画像に追加情報を追記する追記操作が含まれる。
【００１８】
記憶部２２は、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ（登録商標））等の不揮発性メモリー又はハードディスクなどである。
【００１９】
制御部２５は、ＣＰＵ、ＲＯＭ、及びＲＡＭなどを有するマイクロコンピューターである。制御部２５の前記ＲＯＭには、制御部２５の前記ＣＰＵに各種処理を実行させる為の処理プログラムが記憶されており、制御部２５は、画像処理装置１を統括的に制御する。
【００２０】
ところで、印刷対象の画像データに、視認性が高いことが望ましい情報と視認性が低くてもよい情報とが含まれることがある。しかしながら、この場合には、トナー消費量を抑制して印刷処理を実行するトナーセーブモードを使用することができないため、本来は視認性が低くてもよい情報の印刷処理で無駄にトナー量が増加することになる。
【００２１】
例えば、画像処理装置１のタッチパネル３１を用いて、画像データに文字又は図形などの情報を追記する編集作業が行われることがある。この場合、編集作業における追記内容は、編集作業前に画像データに含まれていた元画像に比べて視認性が低くてもよいことがある。ここで、タッチパネル３１における編集操作で追記する情報の配色としてトナー消費量が少なく視認性が低い色が意図的に用いられることも考えられるが、この場合には、タッチパネル３１に表示される際にも視認性が低くなる。これに対し、本実施形態に係る画像処理装置１では、画像データの編集操作時における追記内容の視認性を低下させることなく前記追記内容の印刷時におけるトナーの消費量を抑制することができる。
【００２２】
具体的に、制御部２５は、表示処理部９１と、生成処理部９２と、記憶処理部９３と、設定処理部９４とを含む。なお、制御部２５は、前記ＣＰＵにより前記処理プログラムに従って各種の処理を実行することにより各処理部として機能する。なお、制御部２５が有する機能の一部又は複数が電子回路として設けられる構成も他の実施形態として考えられる。
【００２３】
表示処理部９１は、元画像データに基づいて元画像を表示部２９に表示させる。また、表示処理部９１は、表示部２９に表示される前記元画像に対する追加情報の追記操作を操作部３０が受け付けた場合、予め設定された設定濃度で表現される前記追加情報を含む第１追記データを生成する。そして、表示処理部９１は、その第１追記データを基づく前記追加情報を表示部２９に表示させる。
【００２４】
生成処理部９２は、前記元画像と前記設定濃度よりも低い濃度で表現される前記追加情報とを含む第２追記データを生成する。記憶処理部９３は、前記第１追記データ及び前記第２追記データを記憶部２２に記憶させる。
【００２５】
設定処理部９４は、前記設定濃度を任意に設定するために操作部３０に対してユーザーによって行われる設定操作に応じて前記設定濃度を設定する。これにより、ユーザーは、前記追記操作によって表示部２９に表示される前記追加情報の濃度を任意に設定することができる。
【００２６】
次に、図３及び図４を用いて、制御部２５によって実行される画像編集処理の一例について説明する。なお、図３のフローチャートにおいてステップＳ３０１、Ｓ３０２、・・・は処理手順（ステップ番号）を表しており、図３のフローチャートの処理は、原稿の読み取り開始指示を示す操作信号を制御部２５が受信した場合に実行開始される。
【００２７】
＜ステップＳ３０１＞
ステップＳ３０１において、制御部２５は、原稿から画像データを読み取る前記画像読取動作を画像読取部３に実行させることにより、前記原稿に対応する画像データを元画像データとして取得し、前記元画像データを記憶部２２に記憶させる。以下では、前記画像読取動作により図４Ａに示される原稿Ｍ１の画像データが読み取られる場合を具体例に挙げつつ説明する。
【００２８】
なお、本実施形態では、画像読取部３を用いて読み取られる原稿の画像データを対象として当該画像編集処理が実行される場合について説明するが、記憶部２２などに予め記憶されている画像データを対象として当該画像編集処理が実行される場合も同様である。この場合、ステップＳ３０１では、制御部２５によって、記憶部２２に記憶されている画像データをユーザー操作に応じて元画像データとして選択するための処理が実行される。
【００２９】
＜ステップＳ３０２＞
ステップＳ３０２において、制御部２５は、前記元画像データに基づく読取画像を元画像として表示部２９に表示させる。なお、係る処理は制御部２５の表示処理部９１によって実行される。ここでは、図４Ｂに示されるように、原稿Ｍ１から読み取られた前記元画像データに基づいて読取画像Ｇ１が表示部２９に表示される。読取画像Ｇ１は、本発明における元画像の一例である。
【００３０】
＜ステップＳ３０３＞
ステップＳ３０３において、制御部２５は、表示部２９に表示されている前記読取画像に追加情報を追記する追記操作が行われたか否かを判定する。具体的に、制御部２５は、前記追記操作が行われた旨を示す操作信号をタッチパネル３１から受信した場合に、前記追記操作が行われたと判定する。前記追記操作は、例えば図４Ｃに示されるように、タッチペンＰ１でタッチパネル３１に対して丸印などの図形或いは文字等が前記追加情報として描画される描画操作である。制御部２５は、前記追記操作が行われたと判定した場合には（ステップＳ３０３でＹＥＳ）、処理をステップＳ３０４に進める。一方、制御部２５は、前記追記操作が行われていないと判定した場合には（ステップＳ３０３でＮＯ）、処理をステップＳ３０５に進める。
【００３１】
＜ステップＳ３０４＞
ステップＳ３０４において、制御部２５は、予め設定された設定濃度で表現される前記追加情報を含む第１追記データを生成し、前記第１追記データに基づいて表示部２９に前記追加情報を表示させる。例えば、制御部２５は、前記追加情報を前記元画像に合成した合成画像を示す画像データを前記第１追記データとして生成し、前記第１追記データに基づいて前記合成画像を表示部２９に表示させる。このとき、前記追加情報は、前記設定濃度で表示部２９に表示されることになる。具体的に、図４Ｃは、前記追加情報が前記設定濃度で表現された読取画像Ｇ１が表示部２９に表示された状態を示す図である。なお、制御部２５が、予め設定された設定濃度で表現される前記追加情報のみを示す第１追記データを生成し、前記第１追記データと前記元画像データとに基づいて表示部２９に前記合成画像を表示させることも考えられる。
【００３２】
＜ステップＳ３０５＞
ステップＳ３０５において、制御部２５は、前記元画像に前記追加情報が追加された後の前記合成画像の印刷要求が行われたか否かを判断する。例えば、制御部２５は、操作部３０を用いて印刷を実行するための操作入力が行われた場合に前記印刷要求が行われたと判定する。そして、制御部２５は、前記印刷要求が行われていないと判定した場合には（ステップＳ３０５でＮＯ）、処理をステップＳ３０３に戻す。一方、制御部２５は、前記印刷要求が行われたと判定した場合には（ステップＳ３０５でＹＥＳ）、処理をステップＳ３０６に進める。
【００３３】
＜ステップＳ３０６＞
ステップＳ３０６において、制御部２５は、前記元画像と前記設定濃度よりも低い特定の濃度で表現される前記追加情報とを含む第２追記データを生成する。なお、ステップＳ３０６は、制御部２５の生成処理部９２で実行される。具体的に、前記第２追記データは、前記元画像と前記追加情報とが合成された前記合成画像のデータである。前記特定の濃度は、前記設定濃度に基づいて算出されることが考えられる。例えば、前記特定の濃度は、前記設定濃度に予め設定された１未満の低減率を乗算して得られる値である。また、前記特定の濃度は、前記設定濃度から予め設定された特定の値を差し引いた値であってもよい。
【００３４】
また、ステップＳ３０６において、制御部２５が、設定処理部９４によって予め設定された前記設定濃度が予め設定された下限濃度以上であることを条件に前記第２追記データを生成することが考えられる。具体的に、制御部２５は、前記設定濃度が前記下限濃度未満である場合には、前記元画像と前記設定濃度で表現される前記追加情報とを含む画像データを前記第２追記データとして生成することが考えられる。これにより、前記第２追記データに含まれる前記追加情報の濃度が極端に低くなることが防止される。また、制御部２５が、前記設定濃度が前記下限濃度以上である場合に、前記元画像と前記設定濃度よりも低く前記特定の濃度よりも高い例外濃度で表現された前記追加情報とを含む画像データを前記第２追記データとして生成することも他の実施形態として考えられる。例えば、前記例外濃度は、前記設定濃度と前記特定の濃度との平均値などである。
【００３５】
＜ステップＳ３０７＞
ステップＳ３０７において、制御部２５は、ステップＳ３０６で生成された第２追記データに基づいてシートに画像を形成する画像形成処理を画像形成部２に実行させる。これにより、前記設定濃度よりも低い前記特定の濃度で表現された前記追加情報が前記元画像に合成された前記合成画像が形成された印刷物が得られる。具体的に、図４Ｄは、読取画像Ｇ１に対応する前記第２追記データに基づいて印刷処理が実行されることによって得られた印刷物ＳＴ１の一例を示す図である。
【００３６】
＜ステップＳ３０８＞
ステップＳ３０８において、制御部２５は、前記第１追記データ及び前記第２追記データを記憶部２２に記憶させる。なお、ステップＳ３０８は、制御部２５の記憶処理部９３により行われる。このように、前記第１追記データ及び前記第２追記データを記憶部２２に記憶させることで、タッチパネル３１に対する前述の描画操作を再度行わなくても、前記第１追記データ及び前記第２追記データに基づく印刷が行われた印刷物を再度得ることが可能となる。なお、ステップＳ３０８において、前記第１追記データ及び前記第２追記データのいずれか一方のみが記憶部２２に記憶されること、又はステップＳ３０８が省略されることも考えられる。
【００３７】
以上説明したように、画像処理装置１では、前記印刷処理時における前記追加情報の濃度を表示部２９における表示時に比べて低くなる。従って、画像処理装置１の表示部２９及び操作部３０を用いて行われる画像データの編集操作時における追記内容の視認性を低下させることなく前記追記内容の印刷時におけるトナーの消費量を抑制することができる。
【００３８】
なお、本実施形態に係る画像処理装置１では、制御部２５が、ユーザー操作に応じて前記元画像データに前記追加情報を追記するための編集処理の他、例えば以下のような編集処理を実行することも可能である。
【００３９】
［第１編集処理］
まず、制御部２５は、前記元画像データに含まれる元画像のうちユーザー操作によって指定される文字又は文字列などの部分画像の色及び濃度のいずれか一方又は両方を変更する第１編集処理を実行することが可能である。具体的に、図５Ａに示されるように、複数の文字列を含む原稿Ｍ２から、図５Ｂに示される読取画像Ｇ２が読み取られた場合について考える。例えば、表示部２９に表示されている読取画像Ｇ２に対して、一部の文字列を予め定められた形状で囲んで範囲（矢印Ｒ１参照）を指定する指定操作がタッチパネル３１を用いて行われると、制御部２５は、前記範囲内に含まれる文字列を周知の文字認識処理により編集対象文字列として検出する。次に、制御部２５は、読取画像Ｇ２の中に前記編集対象文字列と同じ文字列が他にも存在するか否かを判定し、存在する場合にはその文字列についても前記編集対象文字列として特定する。そして、読取画像Ｇ２に対し１又は複数の前記編集対象文字列の色及び濃度のいずれか一方又は両方を変更した画像（図５Ｃの矢印Ｒ２参照）の画像データを第１画像データとして生成する。なお、前記編集対象文字列の色及び濃度の変更内容はユーザー操作に応じて設定可能である。そして、制御部２５は、前記第１画像データについて印刷要求が行われると、前記第１画像データに基づいてシートに画像を形成する画像形成処理を画像形成部２に実行させる。これにより、原稿Ｍ１の画像のうち所望の範囲の画像の色或いは濃度を原稿Ｍ１の画像とは異なる色或いは濃度に任意に変更することが可能となる。
【００４０】
なお、シートに画像を形成する際に、読取画像Ｇ１ではカラーである指定範囲の画像の色をモノクロに変更した第２画像データを生成し、前記第２画像データに基づいてシートに画像を形成することが考えられる。この場合は、前記指定範囲の画像の印刷に要するトナーの消費量を抑制することが可能となる。
【００４１】
［第２編集処理］
また、制御部２５は、前記元画像データに含まれる元画像のうちユーザー操作によって指定されるマーキング部の色及び濃度のいずれか一方又は両方を変更する第２編集処理を実行することが可能である。具体的に、図６Ａに示されるように、複数の文字列を含む複数の文字列のうち一部の文字列に予め定められた色のマーキング部Ｃ１を有する原稿Ｍ３から、図６Ｂに示される読取画像Ｇ３が読み取られた場合について考える。例えば、表示部２９に表示されている読取画像Ｇ３に対して、マーキング部Ｃ１に対応するマーキング部Ｃ２を指定する指定操作がタッチパネル３１を用いて行われると、制御部２５は、指定された色のマーキング部Ｃ２を有する文字列を前記編集対象文字列として検出する。次に、制御部２５は、読取画像Ｇ３の中に検出した色と同じ色のマーキング部Ｃ２を有する文字列が他にも存在するか否かを判定し、存在する場合にはその文字列についても前記編集対象文字列として特定する。そして、読取画像Ｇ３に対し１又は複数の前記編集対象文字列におけるマーキング部Ｃ２の色及び濃度のいずれか一方又は両方を変更した画像（矢印Ｒ３参照）の画像データを第１画像データとして生成する。なお、前記編集対象文字列におけるマーキング部Ｃ２の色及び濃度の変更内容はユーザー操作に応じて設定可能である。そして、制御部２５は、前記第１画像データについて印刷要求が行われると、前記第１画像データに基づいてシートに画像を形成する画像形成処理を画像形成部２に実行させる。これにより、原稿Ｍ３の画像のうち所望のマーキング部Ｃ２の色或いは濃度を原稿Ｍ３の画像とは異なる色或いは濃度に任意に変更することが可能となる。
【００４２】
なお、シートに画像を形成する際に、読取画像Ｇ３では指定されたマーキング部Ｃ２の濃度を読取画像Ｇ３のマーキング部Ｃ１の濃度より低下させた第２画像データを生成し、前記第２画像データに基づいてシートに画像を形成することが考えられる。この場合は、前記マーキング部の画像の印刷に要するトナーの消費量を抑制することが可能となる。
【００４３】
［第３編集処理］
また、制御部２５は、前記元画像データに含まれる元画像のうちユーザー操作によって指定される下線部Ｌ１の太さを変更する第３編集処理を実行することが可能である。具体的に、複数の文字列の一部に下線部Ｌ１が施された不図示の原稿から図７Ａに示される読取画像Ｇ４が読み取られた場合について考える。例えば、表示部２９に表示されている読取画像Ｇ４に対して、下線部Ｌ１を指定する指定操作がタッチパネル３１を用いて行われると、制御部２５は、指定された下線部Ｌ１を前記編集対象下線部として検出する。次に、制御部２５は、読取画像Ｇ４の中に検出した下線部Ｌ１と同じ下線部Ｌ１が他にも存在するか否かを判定し、存在する場合にはその下線部についても前記編集対象下線部として特定する。そして、読取画像Ｇ４に対し１又は複数の前記編集対象下線部の太さを太くした画像（図７Ｂの矢印Ｒ４参照）の画像データを第１画像データとして生成する。なお、前記編集対象下線部の太さの変更内容はユーザー操作に応じて設定可能である。そして、制御部２５は、前記画像データについて印刷要求が行われると、前記第１画像データに基づいてシートに画像を形成する画像形成処理を画像形成部２に実行させる。これにより、原稿Ｍ４の画像のうち所望の下線部の太さを原稿Ｍ４の画像とは異なる太さに任意に変更することが可能となる。
【００４４】
（第２の実施形態）
前記第１の実施形態では、画像処理装置１が画像形成部２を備える場合を例に挙げて説明した。次に、図８を用いて、本発明の画像処理装置の第２の実施形態について説明する。なお、図８において、前記第１の実施形態に係る画像処理装置１と同様の構成要素については、同一の番号を付して説明を省略する。
【００４５】
図８に示されるように、本実施形態の画像処理装置３００は、タブレット端末或いはパーソナルコンピューターのように、画像形成部２を有していない情報処理装置である。図８に示されるように、画像処理装置３００は、前記第１の実施形態に係る画像処理装置１が備える画像読取部２及び画像形成部５を除く操作表示部２１、記憶部２２、及び制御部２５を備える。
【００４６】
画像処理装置３００は、画像データに基づいて画像形成を実行する画像形成装置４００と有線又は無線により通信可能である。そして、画像処理装置３００では、制御部２５が出力処理部９５を含む。具体的に、制御部２５は、前記ＣＰＵによって前記処理プログラムに従った処理を実行することにより出力処理部９５として機能する。
【００４７】
出力処理部９５は、生成処理部９２により生成される前記第２追記データを画像形成装置４００に有線又は無線によって送信することにより、画像形成装置４００に前記第２追記データに基づく画像形成処理を実行させることが可能である。このように構成された画像処理装置３００においても、画像データの編集操作時における追記内容の視認性を低下させることなく、画像形成装置４００において前記追加情報の印刷が行われる時のトナーの消費量を抑制することができる。
【符号の説明】
【００４８】
１、１００、３００：画像処理装置
２：画像形成部
２９：表示部
３０：操作部
３１：タッチパネル
９１：表示処理部
９２：生成処理部
９３：記憶処理部
９４：設定処理部
９５：出力処理部
４００：画像形成装置
【図１】
2017030240.tif 000003
【図２】
2017030240.tif 000004
【図３】
2017030240.tif 000005
【図４Ａ】
2017030240.tif 000006
【図４Ｂ】
2017030240.tif 000007
【図４Ｃ】
2017030240.tif 000008
【図４Ｄ】
2017030240.tif 000009
【図５Ａ】
2017030240.tif 000010
【図５Ｂ】
2017030240.tif 000011
【図５Ｃ】
2017030240.tif 000012
【図６Ａ】
2017030240.tif 000013
【図６Ｂ】
2017030240.tif 000014
【図６Ｃ】
2017030240.tif 000015
【図６Ｄ】
2017030240.tif 000016
【図７Ａ】
2017030240.tif 000017
【図７Ｂ】
2017030240.tif 000018
【図８】
2017030240.tif 000019